(57)【特許請求の範囲】
【請求項１】
キーワードを取得するステップと、
表示リストを取得し、前記表示リストには、少なくとも一つの表示結果が含まれるステップと、
前記キーワード及び前記少なくとも一つの表示結果に基づいて前記キーワードに関連するマルチメディア内容を取得するステップと、
前記表示リストにおける対応する表示結果に前記マルチメディア内容を提供するステップと、
ユーザーの属性情報を取得するステップと、
前記ユーザーの属性情報を分析することにより前記キーワードを取得するステップと、を含む、マルチメディア内容の提供方法。
【請求項２】
前記表示リストは、検索語に基づいて形成された検索結果表示リストである、
請求項１に記載のマルチメディア内容の提供方法。
【請求項３】
前記属性情報は、ユーザーの趣味情報、ユーザーが現在閲覧している内容情報、及びユーザーが過去に閲覧した内容情報のうち一つまたは複数を含む、請求項１または２に記載のマルチメディア内容の提供方法。
【請求項４】
前記キーワード及び前記少なくとも一つの表示結果に基づいて前記キーワードに関連するマルチメディア内容を取得するステップは、具体的には、
前記少なくとも一つの表示結果のアドレス情報を取得するステップと、
前記キーワードに関連するマルチメディア内容を取得するように前記キーワードおよび前記アドレス情報に基づいてマルチメディア内容バンクを照会するステップと、を含む、請求項１から３のいずれかに記載のマルチメディア内容の提供方法。
【請求項５】
前記マルチメディア内容バンクは、
複数のサンプルウェブページを取得し、前記各サンプルウェブページのアドレス情報を取得するステップと、
各前記サンプルウェブページにおけるマルチメディア内容を取得し、前記マルチメディア内容に対応するキーワードを抽出するステップと、
前記マルチメディア内容を記憶し、対応するサンプルウェブページのアドレス情報および前記キーワードを前記マルチメディア内容の索引とするステップと、を通じて取得される、請求項４に記載のマルチメディア内容の提供方法。
【請求項６】
キーワードを取得する第１取得モジュールと、
表示リストを取得し、前記表示リストには、少なくとも一つの表示結果が含まれる第２取得モジュールと、
前記キーワード及び前記少なくとも一つの表示結果に基づいて前記キーワードに関連するマルチメディア内容を取得する第３取得モジュールと、
前記表示リストにおける対応する表示結果に前記マルチメディア内容を提供する提供モジュールと、
ユーザーの属性情報を取得する第４取得モジュールと、
前記ユーザーの属性情報を分析することにより前記キーワードを取得する分析モジュールと、を含む、マルチメディア内容の提供装置。
【請求項７】
前記表示リストは、検索語に基づいて形成された検索結果表示リストであり、
前記キーワードは、前記検索語から抽出することにより取得される、請求項６に記載のマルチメディア内容の提供装置。
【請求項８】
前記属性情報は、ユーザーの趣味情報、ユーザーが現在閲覧している内容情報、およびユーザーが過去に閲覧した内容情報のうち一つまたは複数を含む、請求項６または７に記載のマルチメディア内容の提供装置。
【請求項９】
前記第３取得モジュールは、具体的には、
前記少なくとも一つの表示結果のアドレス情報を取得し、
前記キーワードに関連するマルチメディア内容を取得するように前記キーワードおよび前記アドレス情報に基づいてマルチメディア内容バンクを照会する、請求項６から８のいずれかに記載のマルチメディア内容の提供装置。
【請求項１０】
前記マルチメディア内容バンクは、
複数のサンプルウェブページを取得し、前記各サンプルウェブページのアドレス情報を取得するステップと、
各前記サンプルウェブページにおけるマルチメディア内容を取得し、前記マルチメディア内容に対応するキーワードを抽出するステップと、
前記マルチメディア内容を記憶し、対応するサンプルウェブページのアドレス情報および前記キーワードを前記マルチメディア内容の索引とするステップと、を通じて取得される、請求項９に記載のマルチメディア内容の提供装置。
【請求項１１】
第１取得モジュールにより検索語を取得し、第２取得モジュールによりキーワードを取得するステップと、
第３取得モジュールにより前記検索語に基づいて検索結果表示リストを取得し、前記検索結果表示リストには、少なくとも一つの検索結果が含まれるステップと、
第４取得モジュールにより前記キーワード及び前記少なくとも一つの検索結果に基づいて前記キーワードに関連するマルチメディア内容を取得するステップと、
提供モジュールにより前記表示リストにおける対応する検索結果に前記マルチメディア内容を提供するステップと、
第５取得モジュールによりユーザーの属性情報を取得するステップと、
分析モジュールにより前記ユーザーの属性情報を分析することにより前記キーワードを取得するステップと、を含む、マルチメディア内容の提供方法。
【請求項１２】
前記キーワード及び前記少なくとも一つの検索結果に基づいて前記キーワードに関連するマルチメディア内容を取得するステップは、具体的には、
前記少なくとも一つの検索結果のアドレス情報を取得するステップと、
前記キーワードに関連するマルチメディア内容を取得するように前記キーワードおよび前記アドレス情報に基づいてマルチメディア内容バンクを照会するステップと、を含む、請求項１１に記載のマルチメディア内容の提供方法。
【請求項１３】
検索語を取得する第１取得モジュールと、
キーワードを取得する第２取得モジュールと、
前記検索語に基づいて検索結果表示リストを取得し、前記検索結果表示リストには、少なくとも一つの検索結果が含まれる第３取得モジュールと、
前記キーワード及び前記少なくとも一つの検索結果に基づいて前記キーワードに関連するマルチメディア内容を取得する第４取得モジュールと、
前記表示リストにおける対応する検索結果に前記マルチメディア内容を提供する提供モジュールと、
ユーザーの属性情報を取得する第５取得モジュールと、
前記ユーザーの属性情報を分析することにより前記キーワードを取得する分析モジュールと、を含む、マルチメディア内容の提供装置。
【請求項１４】
前記第３取得モジュールは、具体的には、
前記少なくとも一つの検索結果のアドレス情報を取得し、
前記キーワードに関連するマルチメディア内容を取得するように前記キーワードおよび前記アドレス情報に基づいてマルチメディア内容バンクを照会する、請求項１３に記載のマルチメディア内容の提供装置。
【請求項１５】
一つまたは複数のプロセッサーと、
メモリと、
一つまたは複数のプログラムと、を含み、
前記一つまたは複数のプログラムは、前記メモリに記憶され、
前記一つまたは複数のプロセッサーにより実行される際、
キーワードを取得するステップと、
表示リストを取得し、前記表示リストには、少なくとも一つの表示結果が含まれるステップと、
前記キーワード及び前記少なくとも一つの表示結果に基づいて前記キーワードに関連するマルチメディア内容を取得するステップと、
前記表示リストにおける対応する表示結果に前記マルチメディア内容を提供するステップと、
ユーザーの属性情報を取得するステップと、
前記ユーザーの属性情報を分析することにより前記キーワードを取得するステップと、を実行する、設備。
【請求項１６】
一つまたは複数のプロセッサーと、
メモリと、
一つまたは複数のプログラムと、を含み、
前記一つまたは複数のプログラムは、前記メモリに記憶され、
前記一つまたは複数のプロセッサーにより実行される際、
検索語を取得し、キーワードを取得するステップと、
前記検索語に基づいて検索結果表示リストを取得し、前記検索結果表示リストには、少なくとも一つの検索結果が含まれるステップと、
前記キーワード及び前記少なくとも一つの検索結果に基づいて前記キーワードに関連するマルチメディア内容を取得するステップと、
前記表示リストにおける対応する検索結果に前記マルチメディア内容を提供するステップと、
ユーザーの属性情報を取得するステップと、
前記ユーザーの属性情報を分析することにより前記キーワードを取得するステップと、を実行する設備。
【請求項１７】
一つまたは複数のプログラムが記憶され、
前記一つまたは複数のプログラムが一つの設備により実行される際、前記設備に、
キーワードを取得するステップと、
表示リストを取得し、前記表示リストには、少なくとも一つの表示結果が含まれるステップと、
前記キーワード及び前記少なくとも一つの表示結果に基づいて前記キーワードに関連するマルチメディア内容を取得するステップと、
前記表示リストにおける対応する表示結果に前記マルチメディア内容を提供するステップと、
ユーザーの属性情報を取得するステップと、
前記ユーザーの属性情報を分析することにより前記キーワードを取得するステップと、を実行させる、不揮発性コンピューター記憶媒体。
【請求項１８】
一つまたは複数のプログラムが記憶され、
前記一つまたは複数のプログラムが一つの設備により実行される際、前記設備に、
検索語を取得し、キーワードを取得するステップと、
前記検索語に基づいて検索結果表示リストを取得し、前記検索結果表示リストには、少なくとも一つの検索結果が含まれるステップと、
前記キーワード及び前記少なくとも一つの検索結果に基づいて前記キーワードに関連するマルチメディア内容を取得するステップと、
前記表示リストにおける対応する検索結果に前記マルチメディア内容を提供するステップと、
ユーザーの属性情報を取得するステップと、
前記ユーザーの属性情報を分析することにより前記キーワードを取得するステップと、を実行させる、不揮発性コンピューター記憶媒体。
【発明の詳細な説明】
【技術分野】
【０００１】
優先権情報
関連出願の相互参照
本出願は、ベイジン  バイドゥ  ネットコム  サイエンス  アンド  テクノロジーカンパニー  リミテッドにより２０１４年１０月２７日付けで提出された、中国特許出願番号が「２０１４１０５８５０８９．２」であり、発明の名称が「マルチメディア内容の提供方法および装置」である特許出願の優先権を主張するものである。
【０００２】
本発明は、インターネット技術に関し、特にマルチメディア内容の提供方法および装置に関する。
【背景技術】
【０００３】
検索エンジン技術の絶えない発展に伴い、検索エンジンはユーザーに各種の情報を提供することができる。例えば、ユーザーが検索語を入力した後、検索エンジンは、当該検索語に応じて検索を行い、検索結果をユーザーに提供することができる。もう一つの例を挙げれば、ユーザーの操作に応じてユーザーに関連する情報を進めることができる。現在、検索エンジンにより提供される内容は、ほとんどが文字結果であり、写真等のマルチメディア結果はほんの一部である。但し、実際には、文字と比較すると、写真、オーディオ、ビデオ等のマルチメディア情報がより生き生きとしており、ユーザーの興味をより引きつけ、新たな情報量が大きいため、より確実にユーザーに豊かな情報を提供することができる。
【０００４】
検索エンジンは、ユーザーに結果を提供する場合、写真情報を含む結果を提供することができるが、現在提供される写真は、ほとんどがウエブサイトのＵＲＬ（Ｕｎｉｆｏｒｍ  Ｒｅｓｏｕｒｃｅ  Ｌｏｃａｔｏｒ、ユニフォームリソースロケータ）に対応している。一つのＵＲＬに対応する結果を提供する際、入力した検索語またはユーザーの需要が何であれ、当該ＵＲＬに対応する写真は変わらない。従って、提供された写真結果がユーザーに対する魅力が足りず、ユーザーの需要を効果的に満たすことが困難となり、ユーザーの体験に影響を及ぼす。同様に、他の非検索状況で、例えばクライアントまたはページによりユーザーに推薦結果（例えば、広報情報、広告）等を提供する際、主に提供するのは文字情報等であり、ユーザーに魅力があり、ユーザーの需要を満たすことができる結果を提供することが難しく、ユーザーの体験はあまり理想的ではない。
【発明の概要】
【発明が解決しようとする課題】
【０００５】
本発明は、上記の技術問題を少なくともある程度解決しようとするものである。
【０００６】
このため、本発明の第一の目的は、マルチメディア内容の提供方法を提供することである。ユーザーにより豊かで様々な結果を提供し、ユーザーの興味を起こさせ、注目度を高めることにより、ユーザーの需要および興味をより確実に満たし、ユーザーの体験を向上させる。
【０００７】
本発明の第二の目的は、マルチメディア内容の提供装置を提供することである。
【０００８】
本発明の第三の目的は、もう一つのマルチメディア内容の提供方法を提供することである。
【０００９】
本発明の第四の目的は、もう一つのマルチメディア内容の提供装置を提供することである。
【００１０】
本発明の第五の目的は、設備を提供することである。
【００１１】
本発明の第六の目的は、もう一つの設備を提供することである。
【００１２】
本発明の第七の目的は、不揮発性コンピューター記憶媒体を提供することである。
【００１３】
本発明の第８の目的は、もう一つの不揮発性コンピューター記憶媒体を提供することである。
【課題を解決するための手段】
【００１４】
上記の目的を達成するために、本発明に係る第１の実施形態の実施例は、マルチメディア内容の提供方法を提供する。当該方法は、キーワードを取得するステップと、表示リストを取得し、前記表示リストには、少なくとも一つの表示結果が含まれるステップと、前記キーワードに基づいて前記少なくとも一つの表示結果のうち前記キーワードに関連するマルチメディア内容を取得するステップと、前記表示リストにおける対応する表示結果に前記マルチメディア内容を提供するステップと、を含む。
【００１５】
本発明の実施例のマルチメディア内容の提供方法は、キーワードおよび表示結果を含む表示リストを取得することができ、キーワードに応じて表示リストにおける表示結果およびキーワードに関連するマルチメディア内容を取得する。表示結果に当該マルチメディア内容を提供することにより、マルチメディア内容を表示結果に追加し、ユーザーにより豊かで様々な結果を提供することで、ユーザーの興味を起こさせ、注目度を高める。キーワードはユーザーの需要に関連するので、取得されたマルチメディア内容および表示結果がユーザーの需要および興味をより確実に満たすことができ、ユーザーの体験を向上させることができる。
【００１６】
本発明の第２の実施形態の実施例は、マルチメディア内容の提供装置を提供する。当該装置は、キーワードを取得する第１取得モジュールと、表示リストを取得し、前記表示リストには、少なくとも一つの表示結果が含まれる第２取得モジュールと、前記キーワードに基づいて前記少なくとも一つの表示結果のうち前記キーワードに関連するマルチメディア内容を取得する第３取得モジュールと、前記表示リストにおける対応する表示結果に前記マルチメディア内容を提供する提供モジュールと、を含む。
【００１７】
本発明の実施例のマルチメディア内容の提供装置は、キーワードおよび表示結果を含む表示リストを取得することができ、キーワードに応じて表示リストにおける表示結果およびキーワードに関連するマルチメディア内容を取得する。表示結果に当該マルチメディア内容を提供することにより、マルチメディア内容を表示結果に追加し、ユーザーにより豊かで様々な結果を提供することでユーザーの興味を起こさせ、注目度を高める。キーワードはユーザーの需要に関連するので、取得されたマルチメディア内容および表示結果がユーザーの需要および興味をより確実に満たすことができ、ユーザーの体験を向上させることができる。
【００１８】
上記の目的を達成するために、本発明に係る第３の実施形態の実施例は、もう一つのマルチメディア内容の提供方法を提供する。当該方法は、検索語を取得し、キーワードを取得するステップと、前記検索語に基づいて検索結果表示リストを取得し、前記検索結果表示リストには、少なくとも一つの検索結果が含まれるステップと、前記キーワードに基づいて前記少なくとも一つの検索結果のうち前記キーワードに関連するマルチメディア内容を取得するステップと、前記表示リストにおける対応する検索結果に前記マルチメディア内容を提供するステップと、を含む。
【００１９】
本発明の実施例のマルチメディア内容の提供方法は、検索語に基づいて検索結果表示リストを取得することができ、キーワードに基づいて検索結果表示リストにおける検索結果およびキーワードに関連するマルチメディア内容を取得し、検索結果に当該マルチメディア内容を提供する。このようにして、マルチメディア内容を検索結果に追加し、ユーザーにより豊かで様々な結果を提供することでユーザーの興味を起こさせ、注目度を高める。キーワードはユーザー検索需要に関連するので、取得されたマルチメディア内容および検索結果がユーザーの需要および興味をより確実に満たすことができ、ユーザーの体験を向上させることができる。
【００２０】
本発明の第４の実施形態の実施例は、もう一つのマルチメディア内容の提供装置を提供する。当該装置は、検索語を取得する第１取得モジュールと、キーワードを取得する第２取得モジュールと、前記検索語に基づいて検索結果表示リストを取得し、前記検索結果表示リストには、少なくとも一つの検索結果が含まれる第３取得モジュールと、前記キーワードに基づいて前記少なくとも一つの検索結果のうち前記キーワードに関連するマルチメディア内容を取得する第４取得モジュールと、前記表示リストにおける対応する検索結果に前記マルチメディア内容を提供する提供モジュールと、を含む。
【００２１】
本発明の実施例のマルチメディア内容の提供装置は、検索語に基づいて検索結果表示リストを取得することができ、キーワードに基づいて検索結果表示リストにおける検索結果およびキーワードに関連するマルチメディア内容を取得する。検索結果に当該マルチメディア内容を提供することができる。マルチメディア内容を検索結果に追加することで、ユーザーにより豊かで様々な結果を提供してユーザーの興味を起こさせ、注目度を高める。キーワードはユーザー検索需要に関連するので、取得されたマルチメディア内容および検索結果がユーザーの需要および興味をより確実に満たすことができ、ユーザーの体験を向上させることができる。
【００２２】
本発明の第５の実施形態の実施例は設備を提供する。当該設備は、一つまたは複数のプロセッサーと、メモリと、一つまたは複数のプログラムと、を含む。前記一つまたは複数のプログラムは、前記メモリに記憶され、前記一つまたは複数のプロセッサーにより実行される際、キーワードを取得するステップと、表示リストを取得し、前記表示リストには、少なくとも一つの表示結果が含まれるステップと、前記キーワードに基づいて前記少なくとも一つの表示結果のうち前記キーワードに関連するマルチメディア内容を取得するステップと、前記表示リストにおける対応する表示結果に前記マルチメディア内容を提供するステップと、を実行する。
【００２３】
本発明の第６の実施形態の実施例は、もう一つの設備を提供する。当該設備は、一つまたは複数のプロセッサーと、メモリと、一つまたは複数のプログラムと、を含む。前記一つまたは複数のプログラムは、前記メモリに記憶され、前記一つまたは複数のプロセッサーにより実行される際、検索語を取得し、キーワードを取得するステップと、前記検索語に基づいて検索結果表示リストを取得し、前記検索結果表示リストには、少なくとも一つの検索結果が含まれるステップと、前記キーワードに基づいて前記少なくとも一つの検索結果のうち前記キーワードに関連するマルチメディア内容を取得するステップと、前記表示リストにおける対応する検索結果に前記マルチメディア内容を提供するステップと、を実行する。
【００２４】
本発明の第７の実施形態の実施例は、不揮発性コンピューター記憶媒体を提供する。前記コンピューター記憶媒体には、一つまたは複数のプログラムが記憶され、前記一つまたは複数のプログラムが一つの設備により実行される際、前記設備に、キーワードを取得するステップと、表示リストを取得し、前記表示リストには、少なくとも一つの表示結果が含まれるステップと、前記少なくとも一つの表示結果において、前記キーワードに基づいて前記少なくとも一つの表示結果のうち前記キーワードに関連するマルチメディア内容を取得するステップと、前記表示リストにおける対応する表示結果に前記マルチメディア内容を提供するステップと、を実行させる。
【００２５】
本発明の第８の実施形態の実施例は、もう一つの不揮発性コンピューター記憶媒体を提供する。前記コンピューター記憶媒体には、一つまたは複数のプログラムが記憶され、前記一つまたは複数のプログラムが一つの設備により実行される際、前記設備に、検索語を取得し、キーワードを取得するステップと、前記検索語に基づいて検索結果表示リストを取得し、前記検索結果表示リストには、少なくとも一つの検索結果が含まれるステップと、前記キーワードに基づいて前記少なくとも一つの検索結果のうち前記キーワードに関連するマルチメディア内容を取得するステップと、前記表示リストにおける対応する検索結果に前記マルチメディア内容を提供するステップと、を実行させる。
【００２６】
本発明の付加方面と利点は、下記の説明にて部分的に示され、一部は下記の説明にて明らかになり、または本発明の実践により理解される。
【図面の簡単な説明】
【００２７】
本発明の上記および／または付加的な方面と利点は、下記の図面を結合しつつ実施例に対する説明を行う過程にて明らかで理解しやすくなる。
【図１】本発明に係る一つの実施例のマルチメディア内容の提供方法のフローチャートである。
【図２】本発明に係る一つの実施例のマルチメディア内容バンクを取得するフローチャートである。
【図３ａ】本発明に係る実施例の検索結果にマルチメディア内容を提供する模式図である。
【図３ｂ】本発明に係る実施例の検索結果にマルチメディア内容を提供する模式図である。
【図４】本発明に係る一つの実施例のウェブページ模式図である。
【図５】本発明に係る一つの具体的な実施例のマルチメディア内容の提供方法のフローチャートである。
【図６】本発明に係るもう一つの実施例のウェブページ模式図である。
【図７】本発明に係る一つの実施例のユーザーが現在閲覧しているページにマルチメディア内容を提供する模式図である。
【図８】本発明に係る一つの実施例のマルチメディア内容の提供装置の構造模式図である。
【図９】本発明に係るもう一つの実施例のマルチメディア内容の提供装置の構造模式図である。
【図１０】本発明に係るもう一つの実施例のマルチメディア内容の提供方法のフローチャートである。
【図１１】本発明に係るもう一つの実施例のマルチメディア内容の提供装置の構造模式図である。
【図１２】本発明に係るもう一つの実施例のマルチメディア内容の提供装置的構造模式図である。
【発明を実施するための形態】
【００２８】
以下に、本発明の実施例を詳細に説明する。前記実施例が図面において示されるが、一貫して同じまたは類似する符号は、同じまたは類似の部品、または、同じまたは類似の機能を有する部品を表す。以下に、図面を参照して説明される実施例は例示であり、本発明を解釈するためだけに用いられ、本発明を限定するように理解されてはならない。
【００２９】
本発明の説明において、理解すべきことは、用語である「複数」は、二つまたは二つ以上であり、用語である「第一」、「第二」は、説明のためだけに用いられるものであり、比較的な重要性を指示または暗示すると理解されてはいけない。
【００３０】
以下に、図面を参照しつつ本発明に係る実施例のマルチメディア内容の提供方法および装置を説明する。
【００３１】
ユーザーにより生き生きとユーザーの需要に符合した結果を提供するために、本発明は、マルチメディア内容の提供方法を提供する。当該方法は、キーワードを取得するステップと、表示リストを取得し、表示リストには、少なくとも一つの表示結果が含まれるステップと、キーワードに基づいて少なくとも一つの表示結果のうちキーワードに関連するマルチメディア内容を取得するステップと、表示リストにおける対応する表示結果にマルチメディア内容を提供するステップと、を含む。
【００３２】
図１は、本発明に係る一つの実施例のマルチメディア内容の提供方法のフローチャートである。図１に示すように、本発明に係る実施例のマルチメディア内容の提供方法は、ステップＳ１０１〜ステップＳ１０４を含む。
【００３３】
ステップＳ１０１：キーワードを取得する。
【００３４】
本発明の一つの実施例において、キーワードは、検索語を抽出することにより取得することができる。検索語は、ユーザーが検索を実行する際に入力してもよく、一つまたは複数であってもよい。例を挙げて言うと、検索語が「ＡとＢの区別」であれば、キーワード「Ａ」とキーワード「Ｂ」を抽出することができる。
【００３５】
本発明の一つの実施例において、ユーザーの属性情報を分析することによりキーワードを取得することもできる。ユーザーの属性情報は、ユーザーの趣味情報、ユーザーが現在閲覧している内容情報およびユーザーが過去に閲覧した内容情報等のうち一つまたは複数を含むことができる。例を挙げて言うと、ユーザーが現在閲覧しているページが「三亜観光役人が南シナ海ネットを訪問し、ウェディング・セレブレーション観光を極力推薦」というニュースページであれば、ページ内容に応じて分析することにより、キーワード「三亜  ウエディングドレス  撮影」を抽出することができる。
【００３６】
勿論、検索語とユーザー属性を結合してキーワードを取得することもできる。例を挙げて言うと、検索語が「生花」であれば、ユーザーの興味趣味情報に応じて当該ユーザーはバラが好きだということが分かると、得られるキーワードは「バラ」であり、ユーザーの身分が花屋の主人であれば、得られるキーワードは「バラ」、「リリー」、「カーネーション」、「ワスレナグサ」等の異なる種類の花卉関連語である。
【００３７】
従って、キーワードは、検索語によって抽出されても、ユーザー属性に応じて取得されても、更にユーザーの需要に大いに関連させることができる。
【００３８】
ステップＳ１０２：表示リストを取得し、表示リストには、少なくとも一つの表示結果が含まれる。
【００３９】
表示リストにおける表示結果は、検索エンジンにより提供された情報であってもよく、例を挙げて言うと、文字、写真、オーディオ、リンク、ビデオ等を含むことができる。
【００４０】
本発明の一つの実施例において、表示リストは、検索語に基づいて形成された検索結果表示リストであってもよい。具体的には、少なくとも一つの検索結果を取得し、検索結果表示リストを生成するように、検索エンジンは、検索語に応じて検索を行うことができる。検索結果が複数であれば、複数の検索結果に対するランキングを行って後検索結果表示リストを生成することができる。例えば、検索結果と検索語との相関性に応じて取得された複数の検索結果に対してランキングを行うことができる。本発明の一つの実施例において、表示リストは、キーワードが取得したキーワードに関連する結果に応じて生成したリストであってもよい。表示結果は、キーワードに応じて検索を行って取得した結果であってもよいし、キーワードに応じて能動的に推薦した推薦結果であってもよい。
【００４１】
ステップＳ１０３：キーワードに基づいて少なくとも一つの表示結果のうちキーワードに関連するマルチメディア内容を取得する。
【００４２】
マルチメディア内容は、写真、オーディオ、ビデオ、動画等を含むことができる。マルチメディア内容は、予め構成したマルチメディア内容バンクから取得してもよいし、権威を授けられたサードパーティマルチメディアバンクから取得してもよい。
【００４３】
具体的には、本発明の一つの実施例において、キーワードに基づいて少なくとも一つの表示結果のうちキーワードに関連するマルチメディア内容を取得するステップは、具体的には、少なくとも一つの表示結果のアドレス情報を取得するステップと、キーワードに関連するマルチメディア内容を取得するように、キーワードおよびアドレス情報に基づいてマルチメディア内容バンクを照会するステップと、を含むことができる。アドレス情報は、ＵＲＬ等であってもよい。
【００４４】
本発明の実施例において、一つのキーワードに関連するマルチメディア内容は、一つまたは複数であってよい。例を挙げて言うと、キーワードである「生花」に対応するマルチメディア内容は、それぞれ数種の異なる花卉の写真を含んでもよいし、生花ウエブサイトの写真等のマルチメディア内容を含んでもよい。
【００４５】
予め構成したマルチメディア内容バンクからキーワードに関連するマルチメディア内容を取得しなかった場合、サードパーティマルチメディアバンクからキーワードに関連するマルチメディア内容を取得することができる。予めサードパーティマルチメディアデータベースにおけるマルチメディア内容に対する内容認識を行い、認識結果に応じて相応するキーワードを生成して、マルチメディア内容の索引とすることができる。従って、取得されたキーワードに応じてマルチメディア内容データベースにおける索引とのマッチングを行って、関連するマルチメディア内容を取得することができる。
【００４６】
本発明の実施例において、マルチメディア内容バンクにおけるマルチメディア内容は、ウェブページに対して分析を行うことにより取得することができる。
【００４７】
具体的には、ウェブページに対して分析を行うことによりマルチメディアデータを構成するステップは、図２に示すようにしてもよい。図２は、本発明に係る一つの実施例のマルチメディア内容バンクを取得するフローチャートである。具体的には、マルチメディア内容バンクは、ステップＳ２０１〜ステップＳ２０３を通じて取得することができる。
【００４８】
ステップＳ２０１：複数のサンプルウェブページを取得し、各サンプルウェブページのアドレス情報を取得する。
【００４９】
本発明の実施例において、サンプルウェブページは、インターネットにおけるマルチメディア内容を含む各種のウェブページであってよい。サンプルウェブページを取得する時、ウェブページのアドレス情報も更に取得すべきである。
【００５０】
ステップＳ２０２：各サンプルウェブページにおけるマルチメディア内容を取得し、マルチメディア内容に対応するキーワードを抽出する。
【００５１】
本発明の実施例において、サンプルウェブページにおけるマルチメディア内容を取得するステップは、下記のステップを含む。
【００５２】
１．サンプルウェブページに対して分析を行う。
具体的には、サンプルウェブページに対して主体認識、ページ分類、ページ特徴化等の分析を行うことにより、後続的にサンプルウェブページの主体、類別、特徴等の内容に関連するマルチメディア内容を取得することができる。
ページ構造、ページ差異等に基づいてページ主体を認識し、非ページ主体に含まれる一部のマルチメディア内容（例えば、メニュー写真、推薦内容等）をふるい分けし、この部分の内容を取得すべきマルチメディア内容としない。
サンプルウェブページに対する分類を行うことは、異なるページ類別に対して当該サンプルウェブページにより関連するマルチメディア内容を抽出するのに有利である。
サンプルウェブページに対して特徴化を行うことは、ページとマルチメディア内容との相関性を計算するのに用いられることができる。ページ特徴は、ページ内容の特徴（例えば、ページタイトル、説明情報、ページ内容、ページキーワード等）、ユーザー行為の特徴（例えば、ユーザーの滞在期間、２次ジャンピング操作、ユーザーにより入力された検索語等）、広告主行為の特徴（例えば、広告のキーワード等）等を含むことができる。
【００５３】
２．サンプルウェブページにおけるマルチメディアに対して分析を行う。
具体的には、サンプルウェブページにおけるマルチメディアに対するふるい分け、内容認識、変換、特徴化等の処理および分析を行い、後続的に写真に対してふるい分けすることにより、後続的に分析結果に応じてサンプルウェブページに関連し、表示リストに表示するのに適するマルチメディア内容を取得することができる。
マルチメディア内容の大きさ、位置、解像力比等に基づいてマルチメディア内容に対するふるい分けすることができる。例を挙げて言うと、非ウェブページ主体部分に位置される推薦写真をふるい分けることができ、表示結果リストのアップロードおよび表示速度に影響を及ぼさないために、マルチメディア大きさが予め設定された閾値を超えるマルチメディア内容をふるい分け、解像力比の小さい写真をふるい分けることにより、比較的明瞭な写真を得ることができる。
ＯＣＲ（Ｏｐｔｉｃａｌ  Ｃｈａｒａｃｔｅｒ  Ｒｅｃｏｇｎｉｔｉｏｎ、光学文字認識）技術によってマルチメディア内容に対する文字認識を行い、図像認識技術によって写真内容に対する認識（例えば、顔、景色、動物等を認識する）を行い、音声認識技術によってオーディオビデオ内容に対する内容認識等を行うことができる。
マルチメディア内容認識結果に応じてマルチメディア内容の内容特徴を取得することができ、サンプルウェブページにおけるマルチメディア内容の位置に応じてそのコンテキスト特徴、例えば、説明情報、コンテキスト文字情報、同じブロックにおける内容情報、リンクされたウェブページ内容情報等を取得することも出来る。
【００５４】
３．サンプルウェブページに対する分析結果およびマルチメディア内容に対する分析結果に基づいてマルチメディア内容およびサンプルウェブページの相関性を取得し、相関性に基づいてマルチメディア内容に対してスクリーニングおよびランキングを行う。
【００５５】
マルチメディア内容を取得した後、マルチメディア内容の内容、特徴に応じて対応するキーワードを更に分析することができる。例えば、ある一枚の写真の表示内容が一匹の子犬であれば、対応するキーワードは「犬」、「ペット」等である。
【００５６】
ステップＳ２０３：マルチメディア内容を記憶し、対応するサンプルウェブページのアドレス情報およびキーワードをマルチメディア内容の索引とする。
【００５７】
ステップＳ１０４：表示リストにおける対応する表示結果にマルチメディア内容を提供する。
【００５８】
本発明の実施例において、キーワードに関連するマルチメディア内容を取得した後、それに対応する表示結果に取得されたマルチメディア内容を提供することができる。具体的には、表示結果のアドレス情報に応じて取得された当該アドレス情報に対応するマルチメディア内容を当該表示結果に表示することができる。または、マルチメディア内容がマルチメディア内容データベースに対応する索引と表示結果との相関性に応じて、相関性の一番高い表示結果に取得したマルチメディア内容を提供する。
【００５９】
例を挙げて言うと、図３ａおよび図３ｂは，本発明に係る実施例の検索結果にマルチメディア内容を提供する模式図である。
【００６０】
図３ａに示すように、検索語「リチャード・クレイダーマン」に対して、検索結果表示リストにおける一つの検索結果である「バイドゥチケットビジネス_北京リチャード・クレイダーマンコンサート入場券公式予約」に対応するものは図４に示すウェブページであるため、キーワード「リチャード・クレイダーマン」および図４に示すウェブページのウェブアドレス情報に応じてマルチメディア内容データベースから対応の写真を調べ、図３ａ内の領域Ａに当該写真を提供することができる。図３ａに示すように、「リチャード・クレイダーマン」に関連する音楽類の結果を更に提供することができる。
【００６１】
本発明の実施例においては、検索結果に関連する複数のマルチメディア内容を提供することもできる。図３ｂに示すように、検索エンジンに「生花」を検索する時、検索結果（即ち一行目）は、検索結果タイトルであり、二行目は、キーワード「生花」に応じて提供した複数の写真配列である。各写真の下に文字説明を添付してもよいし、勿論文字説明を添付しなくても構わず、本発明は、これに限定しない。
【００６２】
本発明の実施例のマルチメディア内容の提供方法は、キーワードおよび表示結果を含む表示リストを取得することができる。キーワードに応じて表示リストにおける表示結果およびキーワードに関連するマルチメディア内容を取得し、表示結果に当該マルチメディア内容を提供することにより、マルチメディア内容を表示結果に追加することで、ユーザーにより豊かで様々な結果を提供し、ユーザーの興味を起こさせ、注目度を高める。キーワードはユーザーの需要に関連するので、取得されたマルチメディア内容および表示結果がユーザーの需要および興味をより確実に満たすことができ、ユーザーの体験を向上させることができる。
【００６３】
図５は、本発明に係る一つの具体的な実施例のマルチメディア内容の提供方法のフローチャートである。図５に示すように、本発明に係る実施例のマルチメディア内容の提供方法は、下記のステップＳ５０１〜ステップＳ５０４を含む。
【００６４】
ステップＳ５０１：ユーザーの属性情報を取得する。
【００６５】
ユーザーの属性情報は、ユーザーの趣味情報、ユーザーが現在閲覧している内容情報およびユーザーが過去に閲覧した内容情報のうち一つまたは複数を含む。
【００６６】
ステップＳ５０２：キーワードを取得するように、ユーザーの属性情報を分析する。
【００６７】
具体的に例を挙げて言うと、ユーザーが現在閲覧しているページが図６に示すようなウェブページであれば、当該ページのページ内容に対して認識を行い、そのうちのキーワード「三亜」、「ウエディングドレス」、「撮影」等を抽出することができる。
【００６８】
ステップＳ５０３：当該キーワードに関連する推薦結果およびマルチメディア内容を取得する。
【００６９】
キーワードを抽出した後、キーワードによって推薦結果を取得することができる。推薦結果は、キーワードに関連する検索結果でもよいし、照会することによりデータベースにおける広報結果を推薦するものであってもよい。関連するマルチメディア内容を取得するように、キーワードに応じてマルチメディア内容データベースを照会する。
【００７０】
ステップＳ５０４：当該推薦結果を提供し、推薦結果に当該マルチメディア内容を提供する。
【００７１】
例を挙げて言うと、上記の取得したキーワード「三亜」「ウエディングドレス」、「撮影」に対して、ユーザーが現在閲覧しているまたは後続的に閲覧するページに図７に示すような内容を提供することができる。
【００７２】
本発明の実施例のマルチメディア内容の提供方法は、ユーザー属性情報によってキーワードを取得し、キーワードに関連する推薦結果およびマルチメディア内容を更に取得して、ユーザーに提供することができる。従って、異なるタイプのユーザーの異なる需要を満たすことができる。ユーザーの属性によってマルチメディア内容を自己適応表示することができるので、ユーザーの個性化需要を満たし、ユーザーの体験を更に向上させることができる。
【００７３】
上記の実施例を実現するために、本発明は、マルチメディア内容の提供装置を更に提供する。
【００７４】
マルチメディア内容の提供装置は、検索語を取得し、キーワードを取得する第１取得モジュールと、検索語に基づいて検索結果表示リストを取得する。検索結果表示リストには、少なくとも一つの検索結果が含まれる第２取得モジュールと、キーワードに少なくとも一つの表示結果のうちキーワードに関連するマルチメディア内容を取得する第３取得モジュールと、表示リストにおける対応する検索結果にマルチメディア内容を提供する提供モジュールと、を含む。
【００７５】
図８は、本発明に係る一つの実施例のマルチメディア内容の提供装置的構造模式図である。
【００７６】
図８に示すように、本発明に係る実施例のマルチメディア内容の提供装置は、第１取得モジュール１０と、第２取得モジュール２０、第３取得モジュール３０と、提供モジュール４０と、を含む。
【００７７】
具体的には、第１取得モジュール１０は、キーワードを取得する。
【００７８】
本発明の一つの実施例において、キーワードは、検索語を抽出することにより取得することができる。検索語は、ユーザーが検索を実行する時入力したものであってよく、一つまたは複数であってよい。例を挙げて言うと、検索語が「ＡとＢの区別」であれば、第１取得モジュール１０は、キーワード「Ａ」およびキーワード「Ｂ」を抽出することができる。
【００７９】
本発明の一つの実施例において、第１取得モジュール１０は、ユーザーの属性情報を分析することによりキーワードを取得することができる。ユーザーの属性情報は、ユーザーの趣味情報、ユーザーが現在閲覧している内容情報およびユーザーが過去に閲覧した内容情報等のうち一つまたは複数を含むことができる。例を挙げて言うと、ユーザーが現在閲覧しているページが「三亜観光役人が南シナ海ネットを訪問し、ウェディング・セレブレーション観光を極力推薦」のニュースページであれば、ページ内容に応じて分析することによりキーワード「三亜  ウエディングドレス  撮影」を抽出することができる。
【００８０】
勿論、第１取得モジュール１０は、検索語とユーザー属性を結合してキーワードを取得することもできる。例を挙げて言うと、検索語が「生花」であれば、ユーザーの興味趣味情報に応じて当該ユーザーはバラが好きだということが分かると、得られるキーワードは「バラ」であり、ユーザーの身分が花屋の主人であれば、得られるキーワードは「バラ」、「リリー」、「カーネーション」、「ワスレナグサ」等の異なる種類の花卉関連語である。
【００８１】
従って、キーワードは、検索語によって抽出されても、ユーザー属性に応じて取得されても、更にユーザーの需要に大いに関連させることができる。
【００８２】
第２取得モジュール２０は、表示リストを取得する。表示リストには、少なくとも一つの表示結果が含まれる。表示リストにおける表示結果は、検索エンジンにより提供された情報であってよく、例を挙げて言うと、文字、写真、オーディオ、リンク、ビデオ等を含むことができる。
【００８３】
本発明の一つの実施例において、表示リストは、検索語に応じて形成された検索結果表示リストであってもよい。更に具体的には、第２取得モジュール２０は、少なくとも一つの検索結果を取得し、検索結果表示リストを生成するように、検索語に応じて検索を行うことができる。検索結果が複数であれば、複数の検索結果に対するランキングを行った後、検索結果表示リストを生成することができる。例えば、検索結果と検索語との相関性に応じて取得された複数の検索結果に対するランキングを行うことができる。
【００８４】
本発明の一つの実施例において、表示リストは、キーワードが取得したキーワードに関連する結果に応じて生成したリストであってもよい。表示結果は、キーワードに応じて検索を行って取得した結果であってもよよいし、キーワードに応じて能動的に推薦した推薦結果であってもよい。
【００８５】
第３取得モジュール３０は、キーワードに基づいて少なくとも一つの表示結果のうちキーワードに関連するマルチメディア内容を取得する。マルチメディア内容は、写真、オーディオ、ビデオ、動画等を含むことができる。マルチメディア内容は、予め構成したマルチメディア内容バンクから取得してもよいし、権威を授けられたサードパーティマルチメディアバンクから取得してもよい。
【００８６】
更に具体的には、本発明の一つの実施例において、第３取得モジュール３０は、具体的には、少なくとも一つの表示結果のアドレス情報を取得し、キーワードに関連するマルチメディア内容を取得するように、キーワードおよびアドレス情報に基づいてマルチメディア内容バンクを照会する。アドレス情報は、ＵＲＬ等であってよい。
【００８７】
本発明の実施例において、一つのキーワードに関連するマルチメディア内容は、一つまたは複数であってよい。例を挙げて言うと、キーワードである「生花」に対応するマルチメディア内容は、それぞれ数種の異なる花卉の写真を含んでもよいし、生花ウエブサイトの写真等のマルチメディア内容を含んでもよい。
【００８８】
第３取得モジュール３０が予め構成したマルチメディア内容バンクからキーワードに関連するマルチメディア内容を取得しなかった場合、サードパーティマルチメディアバンクからキーワードに関連するマルチメディア内容を取得することができる。予めサードパーティマルチメディアデータベースにおけるマルチメディア内容に対する内容認識を行い、認識結果に応じて相応するキーワードを生成して、マルチメディア内容の索引とすることができる。従って、取得されたキーワードに応じてマルチメディア内容データベースにおける索引とのマッチングを行って、関連するマルチメディア内容を取得することができる。
【００８９】
本発明の実施例において、マルチメディア内容バンクにおけるマルチメディア内容は、ウェブページに対して分析を行うことにより取得することができる。
【００９０】
更に具体的には、ウェブページに対して分析を行うことによりマルチメディアデータを構成するステップは、図２に示すようにしてもよく、前述された図２が示す実施例を参照することができる。
【００９１】
提供モジュール４０は、表示リストにおける対応する表示結果にマルチメディア内容を提供する。
【００９２】
本発明の実施例において、第３取得モジュール３０がキーワードに関連するマルチメディア内容を取得した後、提供モジュール４０は、それに対応する表示結果に取得されたマルチメディア内容を提供することができる。更に具体的には、提供モジュール４０は、表示結果のアドレス情報に応じて取得された当該アドレス情報に対応するマルチメディア内容を当該表示結果に表示することができる。または、マルチメディア内容がマルチメディア内容データベースに対応する索引と表示結果との相関性に応じて、相関性の一番高い表示結果に取得したマルチメディア内容を提供する。
【００９３】
例を挙げて言うと、図３ａ及び図３ｂは、本発明に係る実施例の検索結果にマルチメディア内容を提供する模式図である。
【００９４】
図３ａに示すように、検索語「リチャード・クレイダーマン」に対して、検索結果表示リストにおける一つの検索結果である「バイドゥチケットビジネス_北京リチャード・クレイダーマンコンサート入場券公式予約」に対応するものは、図４に示すウェブページであるため、キーワード「リチャード・クレイダーマン」および図４に示すウェブページのウェブアドレス情報に応じてマルチメディア内容データベースから対応する写真を調べ、図３ａにおける領域Ａに当該写真を提供することができる。
【００９５】
本発明の実施例において、検索結果に関連する複数のマルチメディア内容を提供することもできる。図３ｂに示すように、検索エンジンに「生花」を検索する時、検索結果（即ち一行目）は、検索結果タイトルであり、二行目は、キーワード「生花」に応じて提供した複数の写真配列である。各写真の下に文字説明を添付してもよいし、勿論文字説明を添付しなくても構わず、本発明は、これに限定しない。
【００９６】
本発明の実施例のマルチメディア内容の提供装置は、キーワードおよび表示結果を含む表示リストを取得することができ、表示リストの表示結果において、キーワードに応じてキーワードに関連するマルチメディア内容を取得し、表示結果に当該マルチメディア内容を提供することにより、マルチメディア内容を表示結果に追加する。これにより、ユーザーにより豊かで様々な結果を提供し、ユーザーの興味を起こさせ、注目度を高める。キーワードはユーザーの需要に関連するので、取得されたマルチメディア内容および表示結果がユーザーの需要および興味をより確実に満たすことができ、ユーザーの体験を向上させることができる。
【００９７】
図９は、本発明に係るもう一つの実施例のマルチメディア内容の提供装置の構造模式図である。
【００９８】
図９に示すように、本発明に係る実施例のマルチメディア内容の提供装置は、第１取得モジュール１０と、第２取得モジュール２０と、第３取得モジュール３０と、提供モジュール４０と、第４取得モジュール５０と、分析モジュール６０と、を含む。
【００９９】
具体的には、第４取得モジュール５０は、ユーザーの属性情報を取得する。本発明の実施例において、属性情報は、ユーザーの趣味情報、ユーザーが現在閲覧している内容情報およびユーザーが過去に閲覧した内容情報のうち一つまたは複数を含むことができる。
【０１００】
分析モジュール６０は、キーワードを取得するように、ユーザーの属性情報を分析する。更に具体的には、例を挙げて言うと、ユーザーが現在閲覧しているページが図６に示すようなウェブページであれば、分析モジュール６０は、当該ページのページ内容に対する認識を行い、そのうちのキーワード「三亜」、「ウエディングドレス」、「撮影」等を抽出することができる。
【０１０１】
本発明の実施例のマルチメディア内容の提供装置は、ユーザー属性情報に応じてキーワードを取得することができ、キーワードに関連する推薦結果およびマルチメディア内容を取得して、ユーザーに提供することができる。従って、異なるタイプのユーザーの異なる需要を満たすことができ、ユーザーの属性に応じてマルチメディア内容を自己適応表示することができる。ユーザーの個性化需要を満たし、ユーザーの体験を更に向上させることができる。
【０１０２】
上記の実施例を実現するために、本発明は、もう一つのマルチメディア内容の提供方法を更に提供する。
【０１０３】
本発明の実施例のマルチメディア内容の提供方法は、検索語を取得し、キーワードを取得するステップと、前記検索語に基づいて検索結果表示リストを取得し、前記検索結果表示リストには、少なくとも一つの検索結果が含まれるステップと、前記キーワードに基づいて前記少なくとも一つの検索結果前記キーワードに関連するマルチメディア内容を取得するステップと、前記表示リストにおける対応する検索結果に前記マルチメディア内容を提供するステップと、を含む。
【０１０４】
図１０は、本発明に係るもう一つの実施例のマルチメディア内容の提供方法のフローチャートである。
【０１０５】
図１０に示すように、当該マルチメディア内容の提供方法は、下記のステップＳ１００１〜ステップＳ１００４を含む。
【０１０６】
ステップＳ１００１：検索語を取得し、キーワードを取得する。
【０１０７】
検索語は、一つまたは複数であってよい。
【０１０８】
本発明の実施例において、検索語は、ユーザーが検索を実行する時入力したものであってよく、例を挙げて言うと、ユーザーが検索ボックスに入力した「リチャード・クレイダーマン」、「生花」等である。
【０１０９】
本発明の一つの実施例において、キーワードは、検索語を抽出することにより取得することができる。例を挙げて言うと、検索語が「ＡとＢの区別」であれば、キーワード「Ａ」とキーワード「Ｂ」を抽出することができる。
【０１１０】
本発明の一つの実施例において、ユーザーの属性情報を取得し、キーワードを取得するように、ユーザーの属性情報を分析するステップを更に含むことができる。ユーザーの属性情報は、ユーザーの趣味情報、ユーザーが現在閲覧している内容情報およびユーザーが過去に閲覧した内容情報等のうち一つまたは複数を含むことができる。例を挙げて言うと、ユーザーが現在閲覧しているページが「三亜観光役人が南シナ海ネットを訪問し、ウェディング・セレブレーション観光を極力推薦」のニュースページであれば、ページ内容に応じて分析することによりキーワード「三亜  ウエディングドレス  撮影」を抽出することができる。
【０１１１】
勿論、検索語とユーザー属性を結合してキーワードを取得することもできる。例を挙げて言うと、検索語が「生花」であれば、ユーザーの興味趣味情報に応じて当該ユーザーはバラが好きだということが分かると、得られるキーワードは「バラ」であり、ユーザーの身分が花屋の主人であれば、得られるキーワードは「バラ」、「リリー」、「カーネーション」、「ワスレナグサ」等の異なる種類の花卉関連語である。
【０１１２】
従って、キーワードは、検索語によって抽出されても、ユーザー属性に応じて取得されても、いずれも更にユーザーの検索需要に大いに関連させることができる。
【０１１３】
ステップＳ１００２：検索語に基づいて検索結果表示リストを取得し、検索結果表示リストには、少なくとも一つの検索結果が含まれる。
【０１１４】
本発明の実施例において、少なくとも一つの検索結果を取得し、検索結果表示リストを生成するように、検索エンジンは、検索語に応じて検索を行うことができる。検索結果が複数であれば、複数の検索結果に対するランキングを行って後検索結果表示リストを生成することができる。例えば、検索結果と検索語との相関性に応じて取得された複数の検索結果に対するランキングを行うことができる。
【０１１５】
検索結果は、検索語に関連するウェブページ、文字、写真、オーディオ、ビデオ等である。
【０１１６】
ステップＳ１００３：キーワードに基づいて少なくとも一つの検索結果のうちキーワードに関連するマルチメディア内容を取得する。
【０１１７】
マルチメディア内容は、写真、オーディオ、ビデオ、動画等を含むことができる。マルチメディア内容は、予め構成したマルチメディア内容バンクから取得してもよいし、権威を授けられたサードパーティマルチメディアバンクから取得してもよい。
【０１１８】
具体的には、本発明の一つの実施例において、キーワードに基づいて少なくとも一つの検索結果のうちキーワードに関連するマルチメディア内容を取得するステップは、具体的には、少なくとも一つの検索結果のアドレス情報を取得するステップと、キーワードに関連するマルチメディア内容を取得するように、キーワードおよびアドレス情報に基づいてマルチメディア内容バンクを照会するステップと、を含むことができる。アドレス情報は、ＵＲＬ等であってよい。
【０１１９】
本発明の実施例において、一つのキーワードに関連するマルチメディア内容は、一つまたは複数であってよい。例を挙げて言うと、キーワードである「生花」に対して言えば、対応するマルチメディア内容は、それぞれ数種の異なる花卉の写真を含んでもよいし、生花ウエブサイトの写真等のマルチメディア内容を含んでもよい。
【０１２０】
予め構成したマルチメディア内容バンクからキーワードに関連するマルチメディア内容を取得しなかった場合、サードパーティマルチメディアバンクからキーワードに関連するマルチメディア内容を取得することができる。予めサードパーティマルチメディアデータベースにおけるマルチメディア内容に対する内容認識を行い、認識結果に応じて相応するキーワードを生成して、マルチメディア内容の索引とすることができる。従って、取得されたキーワードに応じてマルチメディア内容データベースにおける索引とのマッチングを行って、関連するマルチメディア内容を取得することができる。
【０１２１】
本発明の実施例において、マルチメディア内容バンクにおけるマルチメディア内容は、ウェブページに対して分析を行うことにより取得することができる。
【０１２２】
具体的には、ウェブページに対して分析を行うことによりマルチメディアデータを構成するステップは、図２に示すようであってよい。
【０１２３】
ステップＳ１００４：表示リストにおける対応する検索結果にマルチメディア内容を提供する。
【０１２４】
本発明の実施例において、キーワードに関連するマルチメディア内容を取得した後、それに対応する検索結果に取得されたマルチメディア内容を提供することができる。具体的には、検索結果のアドレス情報に応じて取得された当該アドレス情報に対応するマルチメディア内容を当該検索結果に表示することができる。または、マルチメディア内容がマルチメディア内容データベースに対応する索引と検索結果との相関性に応じて、相関性の一番高い検索結果に取得したマルチメディア内容を提供する。
【０１２５】
例を挙げて言うと、図３ａおよび図３ｂは、本発明に係る実施例の検索結果にマルチメディア内容を提供する模式図である。
【０１２６】
図３ａに示すように、検索語「リチャード・クレイダーマン」に対して、検索結果表の示リストにおける一つの検索結果である「バイドゥチケットビジネス_北京リチャード・クレイダーマンコンサート入場券公式予約」に対応するものは、図４に示すウェブページであるため、キーワード「リチャード・クレイダーマン」および図４に示すウェブページのウェブアドレス情報に応じてマルチメディア内容データベースから対応する写真を調べ、図３ａ内の領域Ａに当該写真を提供することができる。図３ａに示すように、「リチャード・クレイダーマン」に関連する音楽類結果を更に提供することができる。
【０１２７】
本発明の実施例において、検索結果に関連する複数のマルチメディア内容を提供することもできる。図３ｂに示すように、検索エンジンに「生花」を検索する時、検索結果（即ち一行目）は、検索結果タイトルであり、二行目は、キーワード「生花」に応じて提供した複数の写真配列である。各写真の下に文字説明を添付してもよいし、勿論文字説明を添付しなくても構わず、本発明は、これに限定しない。
【０１２８】
本発明の実施例のマルチメディア内容の提供方法は、検索語に基づいて検索結果表示リストを取得することができ、キーワードに基づいて検索結果表示リストにおける検索結果およびキーワードに関連するマルチメディア内容を取得し、検索結果に当該マルチメディア内容を提供することができる。従ってマルチメディア内容を検索結果に追加することで、ユーザーにより豊かで様々な結果を提供し、ユーザーの興味を起こさせ、注目度を高める。キーワードはユーザー検索需要に関連するので、取得されたマルチメディア内容および検索結果がユーザーの需要および興味をより確実に満たすことができ、ユーザーの体験を向上させることができる。
【０１２９】
上記の実施例を実現するために、本発明は、もう一つのマルチメディア内容の提供装置を更に提供する。
【０１３０】
本発明の実施例のマルチメディア内容の提供装置は、検索語を取得する第１取得モジュールと、キーワードを取得する第２取得モジュールと、前記検索語に基づいて検索結果表示リストを取得し、前記検索結果表示リストには、少なくとも一つの検索結果が含まれる第３取得モジュールと、前記キーワードに基づいて前記少なくとも一つの検索結果のうち前記キーワードに関連するマルチメディア内容を取得する第４取得モジュールと、前記表示リストにおける対応する検索結果に前記マルチメディア内容を提供する提供モジュールと、を含む。
【０１３１】
図１１は、本発明に係るもう一つの実施例のマルチメディア内容の提供装置の構造模式図である。
【０１３２】
図１１に示すように、当該マルチメディア内容の提供装置は、具体的には、第１取得モジュール１０と、第２取得モジュール２０と、第３取得モジュール３０と、第４取得モジュール４０と、提供モジュール５０と、を含む。
【０１３３】
具体的には、第１取得モジュール１０は、検索語を取得する。検索語は、一つまたは複数であってよい。
【０１３４】
本発明の実施例において、第１取得モジュール１０は、ユーザーが検索を実行する時ユーザーにより入力された検索語を取得することができ、例を挙げて言うと、第１取得モジュール１０は、ユーザーが検索ボックスに入力した「リチャード・クレイダーマン」、「生花」等を取得することができる。
【０１３５】
第２取得モジュール２０は、キーワードを取得する。
【０１３６】
本発明の一つの実施例において、キーワードは、検索語を抽出することにより取得することができる。例を挙げて言うと、検索語が「ＡとＢの区別」であれば、第２取得モジュール２０は、キーワード「Ａ」およびキーワード「Ｂ」を抽出することができる。
【０１３７】
本発明の一つの実施例において、第２取得モジュール２０は、ユーザーの属性情報を分析することによりキーワードを取得することができる。ユーザーの属性情報は、ユーザーの趣味情報、ユーザーが現在閲覧している内容情報およびユーザーが過去に閲覧した内容情報等のうち一つまたは複数を含むことができる。例を挙げて言うと、ユーザーが現在閲覧しているページが「三亜観光役人が南シナ海ネットを訪問し、ウェディング・セレブレーション観光を極力推薦」のニュースページであれば、ページ内容に応じて分析することによりキーワード「三亜  ウエディングドレス  撮影」を抽出することができる。
【０１３８】
勿論、第２取得モジュール２０は、検索語とユーザー属性を結合してキーワードを取得することもできる。例を挙げて言うと、検索語が「生花」であれば、ユーザーの興味趣味情報に応じて当該ユーザーはバラが好きだということが分かると、得られるキーワードは「バラ」であり、ユーザーの身分が花屋の主人である場合、得られるキーワードは「バラ」、「リリー」、「カーネーション」、「ワスレナグサ」等の異なる種類の花卉関連語である。
【０１３９】
従って、キーワードは、検索語によって抽出されても、ユーザー属性に応じて取得されても、いずれも大いにユーザーの検索需要に更に関連させることができる。
【０１４０】
第３取得モジュール３０は、検索語に基づいて検索結果表示リストを取得し、検索結果表示リストには、少なくとも一つの検索結果が含まれる。本発明の実施例において、第３取得モジュール３０は、検索語に応じて少なくとも一つの検索結果を取得し、検索結果表示リストを生成することができる。検索結果が複数であれば、複数の検索結果に対するランキングを行って後検索結果表示リストを生成することができる。例えば、検索結果と検索語との相関性に応じて取得された複数の検索結果に対するランキングを行うことができる。検索結果は、検索語に関連するウェブページ、文字、写真、オーディオ、ビデオ等である。
【０１４１】
第４取得モジュール４０は、キーワードに基づいて少なくとも一つの検索結果のうちキーワードに関連するマルチメディア内容を取得する。マルチメディア内容は、写真、オーディオ、ビデオ、動画等を含むことができる。マルチメディア内容は、予め構成したマルチメディア内容バンクから取得してもよいし、権威を授けられたサードパーティマルチメディアバンクから取得してもよい。
【０１４２】
更に具体的には、本発明の一つの実施例において、第４取得モジュール４０は、具体的には、少なくとも一つの検索結果のアドレス情報を取得し、キーワードに関連するマルチメディア内容を取得するように、キーワードおよびアドレス情報に基づいてマルチメディア内容バンクを照会する。アドレス情報は、ＵＲＬ等であってよい。
【０１４３】
本発明の実施例において、一つのキーワードに関連するマルチメディア内容は、一つまたは複数であってよい。例を挙げて言うと、キーワードである「生花」に対応するマルチメディア内容は、それぞれ数種の異なる花卉の写真を含んでもよいし、生花ウエブサイトの写真等のマルチメディア内容を含んでもよい。
【０１４４】
第４取得モジュール４０が予め構成したマルチメディア内容バンクからキーワードに関連するマルチメディア内容を取得しなかった場合、サードパーティマルチメディアバンクからキーワードに関連するマルチメディア内容を取得することができる。予めサードパーティマルチメディアデータベースにおけるマルチメディア内容に対する内容認識を行い、認識結果に応じて相応するキーワードを生成して、マルチメディア内容の索引とすることができる。従って、取得されたキーワードに応じてマルチメディア内容データベースにおける索引とのマッチングを行って、関連するマルチメディア内容を取得することができる。
【０１４５】
本発明の実施例において、マルチメディア内容バンクにおけるマルチメディア内容は、ウェブページに対して分析を行うことにより取得することができる。
【０１４６】
更に具体的には、ウェブページに対して分析を行うことによりマルチメディアデータを構成するステップは、図２に示すようであってよく、前述された図２が示す実施例を参照することができる。
【０１４７】
提供モジュール５０は、表示リストにおける対応する検索結果にマルチメディア内容を提供する。
【０１４８】
本発明の実施例において、第４取得モジュール４０がキーワードに関連するマルチメディア内容を取得した後、提供モジュール５０は、それに対応する検索結果に取得されたマルチメディア内容を提供することができる。更に具体的には、提供モジュール５０は、検索結果のアドレス情報に応じて取得された当該アドレス情報に対応するマルチメディア内容を当該検索結果に表示することができる。または、マルチメディア内容がマルチメディア内容データベースに対応する索引と検索結果との相関性に応じて、相関性の一番高い検索結果に取得したマルチメディア内容を提供する。
【０１４９】
例を挙げて言うと、図３ａ及び図３ｂは、本発明に係る実施例の検索結果にマルチメディア内容を提供する模式図である。
【０１５０】
図３ａに示すように、検索語「リチャード・クレイダーマン」に対して、検索結果表示リストにおける一つの検索結果である「バイドゥチケットビジネス_北京リチャード・クレイダーマンコンサート入場券公式予約」に対応するものは、図４に示すウェブページであるため、キーワード「リチャード・クレイダーマン」および図４に示すウェブページのウェブアドレス情報に応じてマルチメディア内容データベースから対応の写真を調べ、図３ａ内の領域Ａに当該写真を提供することができる。
【０１５１】
本発明の実施例において、検索結果に関連する複数のマルチメディア内容を提供することもできる。図３ｂに示すように、検索エンジンに「生花」を検索する時、検索結果（即ち一行目）は、検索結果タイトルであり、二行目は、キーワードである「生花」に応じて提供した複数の写真配列である。各写真の下に文字説明を添付してもよいし、勿論文字説明を添付しなくても構わず、本発明は、これに対して限定しない。
【０１５２】
本発明の実施例のマルチメディア内容の提供装置は、検索語に基づいて検索結果表示リストを取得することができ、キーワードに応じて検索結果ディスプレイリストにおける検索結果およびキーワードに関連するマルチメディア内容を取得し、検索結果に当該マルチメディア内容を提供することができる。従って、マルチメディア内容を検索結果に追加することで、ユーザーにより豊かで様々な結果を提供し、ユーザーの興味を起こさせ、注目度を高める。キーワードはユーザー検索需要に関連するので、取得されたマルチメディア内容および検索結果がユーザーの需要および興味をより確実に満たすことができ、ユーザーの体験を向上させることができる。
【０１５３】
本発明の一つの実施例において、図１２に示すように、当該マルチメディア内容の提供装置は、図１１に示すことに基づいて、第５取得モジュール６０と、分析モジュール７０と、を更に含むことができる。
【０１５４】
具体的には、第５取得モジュール６０は、ユーザーの属性情報を取得する。本発明の実施例において、属性情報は、ユーザーの趣味情報、ユーザーが現在閲覧している内容情報およびユーザーが過去に閲覧した内容情報のうち一つまたは複数を含むことができる。
【０１５５】
分析モジュール７０は、キーワードを取得するように、ユーザーの属性情報を分析する。更に具体的には、例を挙げて言うと、ユーザーが現在閲覧しているページが図６に示すウェブページであれば、分析モジュール７０は、当該ページのページ内容に対する認識を行い、そのうちのキーワード「三亜」、「ウエディングドレス」、「撮影」等を抽出することができる。
【０１５６】
本発明の実施例のマルチメディア内容の提供装置は、ユーザー属性情報に応じてキーワードを取得することができ、キーワードに関連する推薦結果およびマルチメディア内容を取得して、ユーザーに提供することができる。従って異なるタイプユーザーの異なる需要を満たすことができ、ユーザーの属性に応じてマルチメディア内容を自己適応表示することができる。このため、ユーザーの個性化需要を満たし、ユーザーの体験を更に向上させることができる。
【０１５７】
上記の実施例を実現するために、本発明は、設備を更に提供する。
【０１５８】
本発明の実施例の設備は、一つまたは複数のプロセッサーと、メモリと、一つまたは複数のプログラムと、を含み、一つまたは複数のプログラムは、メモリに記憶され、一つまたは複数のプロセッサーにより実行される際、キーワードを取得するステップと、表示リストを取得し、表示リストには、少なくとも一つの表示結果が含まれるステップと、キーワードに基づいて少なくとも一つの表示結果のうちキーワードに関連するマルチメディア内容を取得するステップと、表示リストにおける対応する表示結果にマルチメディア内容を提供するステップと、を実行する。
【０１５９】
上記の実施例を実現するために、本発明は、もう一つの設備を提供する。
【０１６０】
本発明の実施例の設備は、一つまたは複数のプロセッサーと、メモリと、一つまたは複数のプログラムと、を含み、一つまたは複数のプログラムは、メモリに記憶され、一つまたは複数のプロセッサーにより実行される際、検索語を取得し、キーワードを取得するステップと、検索語に基づいて検索結果表示リストを取得し、検索結果表示リストには、少なくとも一つの検索結果が含まれるステップと、キーワードに基づいて少なくとも一つの検索結果のうちキーワードに関連するマルチメディア内容を取得するステップと、表示リストにおける対応する検索結果にマルチメディア内容を提供するステップと、を実行する。
【０１６１】
上記の実施例を実現するために、本発明は、不揮発性コンピューター記憶媒体を更に提供する。
【０１６２】
本発明の実施例のコンピューター記憶媒体には、一つまたは複数のプログラムが記憶され、一つまたは複数のプログラムが一つの設備により実行される際、設備に、キーワードを取得するステップと、表示リストを取得し、表示リストには、少なくとも一つの表示結果が含まれるステップと、キーワードに基づいて少なくとも一つの表示結果のうちキーワードに関連するマルチメディア内容を取得するステップと、表示リストにおける対応する表示結果にマルチメディア内容を提供するステップと、を実行させる。
【０１６３】
上記の実施例を実現するために、本発明は、もう一つの不揮発性コンピューター記憶媒体を更に提供する。
【０１６４】
本発明の実施例のコンピューター記憶媒体には、一つまたは複数のプログラムが記憶され、一つまたは複数のプログラムが一つの設備により実行される際、設備に、検索語を取得し、キーワードを取得するステップと、検索語に基づいて検索結果表示リストを取得し、検索結果表示リストには、少なくとも一つの検索結果が含まれるステップと、キーワードに基づいて少なくとも一つの検索結果のうちキーワードに関連するマルチメディア内容を取得するステップと、表示リストにおける対応する検索結果にマルチメディア内容を提供するステップと、を実行させる。
【０１６５】
フローチャートまたは他の方式で説明されたいかなる過程や方法は、一つまたは複数の、特定ロジック性能または過程のステップを実現するに用いられる実行可能なコマンドのコードのモジュール、セクターあるいは部分を含むと理解される。本発明の望ましい実施形態の範囲は、他の実現を含み、表示または討論の順序に従わなくてもよく、述べられた機能に基づいて基本的に同様な方式または逆の順序でその機能を実行することを含む。これは、本発明の実施例の当業者に理解される。
【０１６６】
フローチャートで示され、または他の方式で記述された論理及び／またはステップは、例えば、ロジック機能を実現するための命令実行可能な順序リストであると考えてよい。具体的には、いかなるコンピューター読取り可能媒体に実現される指令実行システム、装置、若しくは設備（例えばコンピューターに基づくシステム、プロセッサを含むシステムまたは他の指令実行システム、装置または設備から指令を取得して指令を実行することができるシステム等）に使用され、またはこれらの指令実行システム、装置、若しくは設備を結合して使用されることができる。本明細書について言えば、「コンピューター読取り可能媒体」は、プログラムを含み、記憶し、通信し、伝播しまたは伝送して、指令実行システム、装置若しくは設備またはこれらの指令実行システム、装置若しくは設備に使用されるいかなる装置、またはこれらの指令実行システム、装置若しくは設備を結合して使用される装置であってもよい。コンピューター読取り可能媒体の更なる具体的な例示（非網羅的リスト）には、１つまたは複数の配線を有する電気接続部（電子装置）、ポータブル型コンピューターディスク（磁気装置）、ランダムアクセスメモリ（ＲＡＭ）、読み出し専用メモリ（ＲＯＭ）、消去可能なプログラマブル読み出し専用メモリ（ＥＰＲＣＯＭまたはフラッシュメモリ）、光ファイバ、及びポータブル型コンパクト光ディスク読み出し専用メモリ（ＣＤＲＯＭ）が含まれる。また、コンピューター読取り可能媒体は、その上に前記プログラムを印刷した紙またはその他の適当な媒体であってもよい。なぜなら、例えば、紙またはその他の媒体に対して光学スキャニングを行い、続いて編集、解釈または必要の際、その他の適当な方式で処理を行って、電子方式によってプログラムを取得し、その後それをコンピューターメモリ中に記憶することができるからである。
【０１６７】
理解すべきことは、本発明の各部分は、ハードウェア、ソフトウェア、ファームウエアまたはそれらの組み合わせで実現できる。上記の実施形態において、複数のステップまたは方法がメモリに記憶され、適当なコマンド実行システムのソフトウェアまたはファームウエアで実現できる。例えば、ハードウェアで実現する場合、他の実施形態と同じように、本領域周知の下記の任意一つまたはそれらの組み合わせで実現できる。すなわち、デジタル信号に対してロジック機能を実現するロジックゲート回路を有する離散ロジック回路、ロジックゲート回路を組み合わせた適当な専用ＩＣ、プログラマブルゲートアレイ（ＰＧＡ）、フィールドプログラマブルゲートアレイ（ＦＰＧＡ）などである。
【０１６８】
実施例の方法における全部または一部のステップがプログラムにより関連するハードウェアを実行することで完成されることは、本技術領域の通常の技術者に理解される。前記プログラムは一つのコンピューター読取り可能媒体に記憶されることができる。当該プログラムを実行するとき、実施例方法のステップの一つまたはそれらの組み合わせを含む。
【０１６９】
この他、本発明の各実施例における各機能ユニットは、一つの処理モジュールに集積され、または、各ユニットの単独的な物理存在であり、あるいは、二つまたは二つ以上のユニットが一つのモジュールに集積されることができる。上記の集積されたモジュールは、ハードウェアの形式、または、ソフトウェア機能モジュールの形式で実現できる。前記集積されたモジュールが、ソフトウェア機能モジュールの形式で実現され、独立の製品として販売または使用される場合、コンピューター読取り可能媒体に記憶されることができる。
【０１７０】
上記の記憶メディアは、読み出し専用メモリ、ディスク、またはＣＤなどであってよい。
【０１７１】
本明細書の説明において、参照用語である「一つの実施例」、「いくつかの実施例」、「例示」、「具体的な例示」、または「いくつかの例示」などの説明は、当該実施例や例示を結合して説明する具体的な特徴、構造、材料、または特点が本発明の少なくとも一つの実施例や例示に含まれることを意味する。本明細書において、上記の用語に対する黙示的な記述が必ずしも同じ実施例や例示に対することではない。また、説明された具体的な特徴、構造、材料、または特点は、任意の一つのまたは複数の実施例または例示に適当な方式で結合されることができる。
【０１７２】
本発明の実施例を示して説明したが、当業者にとって理解できることは、本発明の原理および精神から逸脱しない限りこれらの実施例に対する様々な変化、修正、切り替えおよび変型を行うことができ、本発明の範囲は、特許請求の範囲およびその同等物により限定される。
【図１】
0006505221.tif 000002
【図２】
0006505221.tif 000003
【図３ａ】
0006505221.tif 000004
【図３ｂ】
0006505221.tif 000005
【図４】
0006505221.tif 000006
【図５】
0006505221.tif 000007
【図６】
0006505221.tif 000008
【図７】
0006505221.tif 000009
【図８】
0006505221.tif 000010
【図９】
0006505221.tif 000011
【図１０】
0006505221.tif 000012
【図１１】
0006505221.tif 000013
【図１２】
0006505221.tif 000014